【手続補正書】
【提出日】平成15年11月21日(2003.11.21)
【手続補正１】
【補正対象書類名】明細書
【補正対象項目名】特許請求の範囲
【補正方法】変更
【補正の内容】
【特許請求の範囲】
【請求項１】
ＡＶデータをデータファイルとしてディスクに記録する記録部と、前記記録部の動作を制御するシステム制御部とを備えたＡＶデータ記録装置であって、
前記システム制御部は、前記ディスク上の連続した領域を予約領域として確保し、前記予約領域内の連続した領域をディレクトリブロックとして確保し、前記記録部を制御して、前記ディレクトリブロックに、ディレクトリのファイルエントリとディレクトリのファイル識別記述子とを記録させることを特徴とするＡＶデータ記録装置。
【請求項２】
前記システム制御部は、ディレクトリブロックグループとして、前記ディレクトリブロックの任意の整数倍のサイズを有する領域を確保し、前記ディレクトリブロックグループのサイズが誤り訂正の単位である請求項１記載のＡＶデータ記録装置。
【請求項３】
前記システム制御部は、前記ディレクトリブロックグループを確保すると同時に、前記ディレクトリのファイル識別記述子に記載されたファイルのファイルエントリおよびファイルの一部または全体を記録するための領域を、前記予約領域内に確保する請求項２記載のＡＶデータ記録装置。
【請求項４】
前記ディレクトリブロックグループは、記録されるデータファイルの種類および仕様に応じて確保される請求項２記載のＡＶデータ記録装置。
【請求項５】
前記システム制御部は、ディレクトリ領域として、前記ディレクトリブロックグループの任意の整数倍のサイズを有する領域を確保する請求項４記載のＡＶデータ記録装置。
【請求項６】
前記システム制御部は、前記ディレクトリ領域を確保すると同時に、前記ディレクトリのファイル識別記述子に記載されたファイルのファイルエントリおよびファイルの一部または全体を記録するための領域を、前記予約領域内に確保する請求項５記載のＡＶデータ記録装置。
【請求項７】
前記システム制御部は、同時に前記ディレクトリブロックグループに相当する領域を予め確保する請求項３記載のＡＶデータ記録装置。
【請求項８】
前記システム制御部は、新しいファイルを生成しようとする際には、確保していた前記ディレクトリブロックグループの末尾に、新たなディレクトリブロックグループを生成する請求項３記載のＡＶデータ記録装置。
【請求項９】
前記システム制御部は、確保した前記ディレクトリブロックグループ内において、前記ディレクトリのファイル識別記述子を記録するための領域、あるいは確保した前記ファイルのファイルエントリおよびファイルの一部または全体を記録するための前記領域のいずれかが不足した場合であって、さらに新しいファイルを生成しようとする際には、確保していた前記ディレクトリブロックグループの末尾に、新たなディレクトリブロックグループを生成し、同時に、前記ディレクトリのファイル識別記述子に記載されたファイルのファイルエントリおよびファイルの一部または全体を記録するための領域を、前記予約領域内にまとめて確保する請求項３記載のＡＶデータ記録装置。
【請求項１０】
前記システム制御部は、新しいファイルを生成しようとする際には、予め確保しておいた前記ディレクトリブロックグループに相当する前記領域に、新たなディレクトリブロックグループを生成する請求項７記載のＡＶデータ記録装置。
【請求項１１】
前記システム制御部は、確保した前記ディレクトリブロックグループ内において、前記ディレクトリのファイル識別記述子を記録するための領域、あるいは確保した前記ファイルのファイルエントリおよびファイルの一部または全体を記録するための前記領域のいずれかが不足した場合であって、さらに新しいファイルを生成しようとする際には、予め確保しておいた前記ディレクトリブロックグループに相当する前記領域に、新たなディレクトリブロックグループを生成し、同時に、前記ディレクトリのファイル識別記述子に記載されたファイルのファイルエントリおよびファイルの一部または全体を記録するための領域を、前記予約領域内にまとめて確保する請求項７記載のＡＶデータ記録装置。
【請求項１２】
前記システム制御部は、新しいファイルを生成しようとする際には、前記予約領域内に、新たなディレクトリブロックグループを生成する請求項７記載のＡＶデータ記録装置。
【請求項１３】
前記システム制御部は、確保した前記ディレクトリブロックグループ内において、前記ディレクトリのファイル識別記述子を記録するための領域、あるいは確保した前記ファイルのファイルエントリおよびファイルの一部または全体を記録するための前記領域のいずれかが不足し、予め確保しておいた前記ディレクトリブロックグループに相当する前記領域も不足している場合であって、さらに新しいファイルを生成しようとする際には、前記予約領域内に、新たなディレクトリブロックグループを生成し、同時に、前記ディレクトリのファイル識別記述子に記載されたファイルのファイルエントリおよびファイルの一部または全体を記録するための領域を、前記予約領域内にまとめて確保する請求項７記載のＡＶデータ記録装置。
【請求項１４】
前記システム制御部は、新しいファイルを生成しようとする際には、前記ディスクの空き領域内に新たな予約領域を確保し、確保した前記新たな予約領域内に新たなディレクトリブロックグループを生成する請求項７記載のＡＶデータ記録装置。
【請求項１５】
前記システム制御部は、確保した前記ディレクトリブロックグループ内において、前記ディレクトリのファイル識別記述子を記録するための領域が不足し、予め確保しておいた前記ディレクトリブロックグループに相当する前記領域も不足し、最初に確保した前記予約領域の中にも確保できる領域が不足している場合であって、さらに新しいファイルを生成しようとする際には、前記ディスクの空き領域内に新たな予約領域を確保し、確保した前記新たな予約領域内に新たなディレクトリブロックグループを生成し、同時に、前記ディレクトリのファイル識別記述子に記載されたファイルのファイルエントリおよびファイルの一部または全体を記録するための領域を、確保した前記新たな予約領域内にまとめて確保する請求項７記載のＡＶデータ記録装置。
【請求項１６】
前記システム制御部は、前記記録部を制御して、前記予約領域を管理する情報を前記予約領域内に記録させる請求項１記載のＡＶデータ記録装置。
【請求項１７】
ＡＶデータをデータファイルとしてディスクに記録するＡＶデータ記録方法であって、
前記ディスク上の連続した領域を予約領域として確保するステップと、
前記予約領域内の連続した領域をディレクトリブロックとして確保するステップと、
前記ディレクトリブロックに、ディレクトリのファイルエントリとディレクトリのファイル識別記述子とを記録するステップとを含むことを特徴とするＡＶデータ記録方法。
【請求項１８】
前記ＡＶデータ記録方法は、ディレクトリブロックグループとして、前記ディレクトリブロックの任意の整数倍のサイズを有する領域を確保するステップを含み、前記ディレクトリブロックグループのサイズが誤り訂正の単位である請求項１７記載のＡＶデータ記録方法。
【請求項１９】
前記ＡＶデータ記録方法は、前記ディレクトリブロックグループを確保すると同時に、前記ディレクトリのファイル識別記述子に記載されたファイルのファイルエントリおよびファイルの一部または全体を記録するための領域を、前記予約領域内に確保するステップを含む請求項１８記載のＡＶデータ記録方法。
【請求項２０】
前記ディレクトリブロックグループは、記録されるデータファイルの種類および仕様に応じて確保される請求項１８記載のＡＶデータ記録方法。
【請求項２１】
前記ＡＶデータ記録方法は、ディレクトリ領域として、前記ディレクトリブロックグループの任意の整数倍のサイズを有する領域を確保するステップを含む請求項２０記載のＡＶデータ記録方法。
【請求項２２】
前記ＡＶデータ記録方法は、前記ディレクトリ領域を確保すると同時に、前記ディレクトリのファイル識別記述子に記載されたファイルのファイルエントリおよびファイルの一部または全体を記録するための領域を、前記予約領域内に確保するステップを含む請求項２１記載のＡＶデータ記録方法。
【請求項２３】
前記ＡＶデータ記録方法は、同時に前記ディレクトリブロックグループに相当する領域を予め確保するステップを含む請求項１９記載のＡＶデータ記録方法。
【請求項２４】
前記ＡＶデータ記録方法は、新しいファイルを生成しようとする際には、確保していた前記ディレクトリブロックグループの末尾に、新たなディレクトリブロックグループを生成するステップを含む請求項１９記載のＡＶデータ記録方法。
【請求項２５】
前記ＡＶデータ記録方法は、確保した前記ディレクトリブロックグループ内において、前記ディレクトリのファイル識別記述子を記録するための領域、あるいは確保した前記ファイルのファイルエントリおよびファイルの一部または全体を記録するための前記領域のいずれかが不足した場合であって、さらに新しいファイルを生成しようとする際には、確保していた前記ディレクトリブロックグループの末尾に、新たなディレクトリブロックグループを生成し、同時に、前記ディレクトリのファイル識別記述子に記載されたファイルのファイルエントリおよびファイルの一部または全体を記録するための領域を、前記予約領域内にまとめて確保するステップを含む請求項１９記載のＡＶデータ記録方法。
【請求項２６】
前記ＡＶデータ記録方法は、新しいファイルを生成しようとする際には、予め確保しておいた前記ディレクトリブロックグループに相当する前記領域に、新たなディレクトリブロックグループを生成するステップを含む請求項２３記載のＡＶデータ記録方法。
【請求項２７】
前記ＡＶデータ記録方法は、確保した前記ディレクトリブロックグループ内において、前記ディレクトリのファイル識別記述子を記録するための領域、あるいは確保した前記ファイルのファイルエントリおよびファイルの一部または全体を記録するための前記領域のいずれかが不足した場合であって、さらに新しいファイルを生成しようとする際には、予め確保しておいた前記ディレクトリブロックグループに相当する前記領域に、新たなディレクトリブロックグループを生成し、同時に、前記ディレクトリのファイル識別記述子に記載されたファイルのファイルエントリおよびファイルの一部または全体を記録するための領域を、前記予約領域内にまとめて確保するステップを含む請求項２３記載のＡＶデータ記録方法。
【請求項２８】
前記ＡＶデータ記録方法は、新しいファイルを生成しようとする際には、前記予約領域内に、新たなディレクトリブロックグループを生成するステップを含む請求項２３記載のＡＶデータ記録方法。
【請求項２９】
前記ＡＶデータ記録方法は、確保した前記ディレクトリブロックグループ内において、前記ディレクトリのファイル識別記述子を記録するための領域、あるいは確保した前記ファイルのファイルエントリおよびファイルの一部または全体を記録するための前記領域のいずれかが不足し、予め確保しておいた前記ディレクトリブロックグループに相当する前記領域も不足している場合であって、さらに新しいファイルを生成しようとする際には、前記予約領域内に、新たなディレクトリブロックグループを生成し、同時に、前記ディレクトリのファイル識別記述子に記載されたファイルのファイルエントリおよびファイルの一部または全体を記録するための領域を、前記予約領域内にまとめて確保するステップを含む請求項２３記載のＡＶデータ記録方法。
【請求項３０】
前記ＡＶデータ記録方法は、新しいファイルを生成しようとする際には、前記ディスクの空き領域内に新たな予約領域を確保し、確保した前記新たな予約領域内に新たなディレクトリブロックグループを生成するステップを含む請求項２３記載のＡＶデータ記録方法。
【請求項３１】
前記ＡＶデータ記録方法は、確保した前記ディレクトリブロックグループ内において、前記ディレクトリのファイル識別記述子を記録するための領域が不足し、予め確保しておいた前記ディレクトリブロックグループに相当する前記領域も不足し、最初に確保した前記予約領域の中にも確保できる領域が不足している場合であって、さらに新しいファイルを生成しようとする際には、前記ディスクの空き領域内に新たな予約領域を確保し、確保した前記新たな予約領域内に新たなディレクトリブロックグループを生成し、同時に、前記ディレクトリのファイル識別記述子に記載されたファイルのファイルエントリおよびファイルの一部または全体を記録するための領域を、確保した前記新たな予約領域内にまとめて確保するステップを含む請求項２３記載のＡＶデータ記録方法。
【請求項３２】
前記ＡＶデータ記録方法は、前記予約領域を管理する情報を前記予約領域内に記録するステップを含む請求項１７記載のＡＶデータ記録方法。
【請求項３３】
請求項１から１６のいずれか一項記載のＡＶデータ記録装置によりＡＶデータが記録されたディスク。
【請求項３４】
請求項１７から３２のいずれか一項記載のＡＶデータ記録方法によりＡＶデータが記録されたディスク。